(57)【特許請求の範囲】
【請求項１】
貯蔵物品を載置するための棚部材(48,50)を多段的に取付けた貯蔵室(16)の内部上方と、該貯蔵室(16)の内部下方との間に管部材(78)を配設し、前記棚部材(48,50)の上面における後端部より前側に配設したガード部材(52)により貯蔵物品の後方側への移動を規制して貯蔵室(16)の後壁面との間に通路を確保した貯蔵庫において、
前記ガード部材(52)よりも後方側で、かつ貯蔵室(16)の壁面より内部で棚部材(48,50)の後端部より前側に突出するように前記管部材(78)を配設した
ことを特徴とする貯蔵庫の配管構造。
【請求項２】
前記管部材(78)を覆蓋する配管カバー部材(80,94,95)を貯蔵室(16)の壁面に固定する固定手段(92)を、前記ガード部材(52)よりも後方側に位置させた請求項１記載の貯蔵庫の配管構造。
【請求項３】
前記棚部材(50)は、前記管部材(78)に対応した位置が該管部材(78)との干渉を回避するように形成されている請求項１または２記載の貯蔵庫の配管構造。
【発明の詳細な説明】
【０００１】
【発明の属する技術分野】
この発明は、貯蔵庫の配管構造に関し、更に詳細には、内部に貯蔵室を画成した貯蔵庫において、該貯蔵室の内部上方と内部下方との間に延在する管部材の配管構造に関するものである。
【０００２】
【従来の技術】
各種冷蔵庫や冷凍ショーケース等の貯蔵庫では、冷凍機構を構成する凝縮器や圧縮機および電装箱等を配設するための機械室が、本体内部の下方に画成されると共に、野菜や魚介類および容器入りの飲料水等を代表とする被冷蔵物品(貯蔵物品)を収納保管するための貯蔵室を画成した断熱箱体が、該機械室の上方に配設されている。そして前記貯蔵室の内部上方には、前記冷凍機構に連結された冷却器が設けられると共に、この冷却器と隣接する位置に室内ファンが取付けられ、該冷却器との接触によって冷された冷気が、室内ファンにより貯蔵室内を循環するようになっている。
【０００３】
【発明が解決しようとする課題】
前記貯蔵庫では、前記冷凍機構と冷却器とを連結する熱媒体(冷媒)循環用の流通管(管部材)が、図９に示すように、例えば前記貯蔵室１６の右側面の後方部位で略垂直状態に配設されている。しかしこの流通管１００は、貯蔵物品を載置保持するために前記貯蔵室１６の内部に配設される棚網１０２のガード部材(貯蔵物品と貯蔵室背面との間に冷気通路を確保するための部材)１０４よりも前方側に位置しており、しかも貯蔵室１６内に露出したままとなっている場合があった。このため、棚網１０２に載せた貯蔵物品を貯蔵室１６の奥側へ強めに押込んだ際に、該貯蔵物品が流通管１００に衝突することがあり、貯蔵物品が金属容器を有する硬質物品の場合は流通管１００が損傷し、また貯蔵物品が軟質物品の場合は該貯蔵物品自身が損傷,破損してしまう不都合があった。
【０００４】
そこで前述した問題を解決するために、前記流通管１００を覆蓋保護する配管カバー部材１０６をビス(固定手段)１０８で貯蔵室の壁面に取付けて、貯蔵物品との衝突による該流通管１００の損傷を防止する対策が採られていた。しかるに、流通管１００の損傷は防止し得るようになったとしても、配管カバー部材１０６は依然として前記ガード部材１０４よりも前方側に位置しているため、この配管カバー部材１０６との衝突により貯蔵物品が損傷,破損する問題は未解決であった。しかも、配管カバー部材１０６を壁面に取付固定するための前記ビス１０８の頭部１０８ａが、該配管カバー部材１０６の手前側に位置しているため、この頭部１０８ａに貯蔵物品が衝突したり引掛かる新たな問題を惹起していた。殊に、貯蔵物品が割れ易いガラス製容器を使用したものである場合には、該容器の破損により漏出した内容物が、下方の貯蔵物品に降りかかったり貯蔵室底面に落下してしまう不都合があった。更に、配管カバー部材１０６の端部１０６ａが貯蔵室１６の正面から直視されるから、見栄えが悪いうえに質感低下を招来する欠点や、前記ビス１０８を該貯蔵室１６の側壁面にねじ込むようになるため、配管カバー部材１０６の取付けに係る作業性が劣る等の欠点も指摘される。
【０００５】
【発明の目的】
この発明は、前述した欠点に鑑み、これを好適に解決するべく提案されたものであって、貯蔵室の内部上方と内部下方との間に延在する管部材や該管部材を覆う配管カバー部材を、棚網のガード部材よりも後方側に位置させることにより、貯蔵室に収納する貯蔵物品との衝突を起因とする前記管部材の損傷や該貯蔵物品の破損を好適に防止するよう構成した貯蔵庫の配管構造を提供することを目的とする。
【０００６】
【課題を解決するための手段】
前記課題を解決し、所期の目的を達成するため本発明は、
貯蔵物品を載置するための棚部材を多段的に取付けた貯蔵室の内部上方と、該貯蔵室の内部下方との間に管部材を配設し、前記棚部材の上面における後端部より前側に配設したガード部材により貯蔵物品の後方側への移動を規制して貯蔵室の後壁面との間に通路を確保した貯蔵庫において、
前記ガード部材よりも後方側で、かつ貯蔵室の壁面より内部で棚部材の後端部より前側に突出するように前記管部材を配設したことを特徴とする。
【０００７】
【発明の実施の形態】
次に、本発明に係る貯蔵庫の配管構造につき、好適な実施例を挙げて、添付図面を参照しながら以下説明する。図１〜図３に示すように、実施例に係る配管構造が実施される貯蔵庫１０には、ステンレス等を材質とする外箱体１２と、貯蔵室１６を画成する内箱体１４および両箱体１２,１４の間に充填した発泡ウレタン等の断熱材１８から形成された断熱箱体２０の下方に機械室２２が画成されている。
【０００８】
(断熱箱体について)
前記断熱箱体２０の前方には、前記貯蔵室１６を外部に開放する矩形状の前方開口部２０ａが設けられ、この前方開口部２０ａの内側に、左右の側枠杆２６ａを夫々当接した状態で扉枠２６が取付けられ、この扉枠２６の内側に、前後一対の透視扉２８,２８がスライド自在に配設されている。各透視扉２８は、図１〜図３に示すように、前方開口部２０ａの略半分の領域を閉成し得る寸法に形成した枠体３０に、例えばガラスやアクリル板等の２枚の透視板３２,３２を前後に所定間隔離間した状態に配設して構成される。そして、密閉された両透視板３２,３２間に介在させた空気層によって、外部と貯蔵室１６との断熱効果を高めるようにしてある。
【０００９】
前記貯蔵室１６の左右両側壁を形成する内箱体１４の各側板３４は、図２および図３に示すように、前方開口部２０ａから後方へ所定長さだけ離間した位置で外箱体１２側へ折曲成形されており、これにより断熱箱体２０の前部両側面に側部冷気通路３８が上下方向に延在形成されている。そして前記各側板３４には、図２に示すように、上下方向に所定間隔毎に穿設される複数個の係止孔４０から構成される係止孔群が形成されている。また、貯蔵室１６の後壁を形成する内箱体１４の後板３６には、上下方向に所定間隔毎に穿設される複数個の係止孔４０から構成される係止孔群が、幅方向に所定距離離間した位置に複数列(実施例では４列)形成されている。これら各係止孔群における係止孔４０には、板材を所要鋭角に屈曲成形してＶ字形セグメントとした棚受金４２が、係脱自在に係止されるよう構成されている。
【００１０】
前記断熱箱体２０の貯蔵室１６前部には、幅方向の略中央に断面コ字状の支柱４４が配設され、この支柱４４の幅方向に離間して貯蔵室１６後方に延出する両側面に、前記各側板３４および後板３６に形成した各係止孔群の係止孔４０と等間隔毎に、複数個の係止孔(図示せず)が上下方向に穿設されており、各係止孔に棚受金４２が係脱自在に係止されるよう構成されている。そして実施例の貯蔵庫１０では、前記各係止孔群において、同一高さの平面内における各係止孔４０に夫々棚受金４２を係止固定した状態で、図３に示すように、幅方向の中央を挟んで左右両側に夫々棚網(棚部材)４８,５０が取付けられるようになっている。また各棚網４８,５０は、図２に示すように上下方向に多段で配設され、夫々の棚網４８,５０に図示しない被冷蔵物品(貯蔵物品)を載置するよう構成されている。なお各棚板４８,５０は、前記各棚受金４２の係止位置を上下に変更することにより、その取付高さ位置を調整し得る。
【００１１】
そして前記棚網４８,５０の後端部近傍には、上方に突出して略全幅に亘って延在するガード部材５２が夫々配設されている。このガード部材５２は、当該の棚網４８,５０に載置された被冷蔵物品の後方側への移動を規制して、被冷蔵物品と内箱体１４の後板３６との間に、冷気流通用の後部冷気通路５４を確保するためのものである。なお、貯蔵室１６に前記棚網４８,５０を配設した状態においては、両棚網４８,５０の前端と透視扉２８との間に前部冷気通路５６が画成されると共に、左右の棚網４８,５０の間に中央部冷気通路５８が画成されるようになっている(図３参照)。
【００１２】
(機械室について)
前記機械室２２は、図１および図２に示すように、前記断熱箱体２０の外部下方に別途成形したキャビネット６０の内部に画成され、該機械室２２に冷凍機構６２を構成する凝縮器６４や圧縮機６６等が配設されている。また、この機械室２２には、冷凍機構６２を制御するマイコン等の制御機器や圧縮機６６の起動用コンデンサおよびヒューズ、その他各種スイッチやサーモスタット(何れも図示せず)等の電気部品を内蔵した電装箱６８が配設される。
【００１３】
(冷却器について)
前記断熱箱体２０の内部上方には、図１および図２に示すように、前記冷凍機構６２に連結される冷却器７０が設けられると共に、この冷却器７０と隣接する位置に室内ファン７２が取付けられ、該室内ファン７２により送られる冷気が貯蔵室１６に循環するよう構成されている。なお、室内ファン７２から貯蔵室１６に送られた冷気は、前記各冷気通路３８,５４,５６,５８を介して貯蔵室１６全体に隈無く行渡り、被冷蔵物品を効率的に冷却する。また、冷却器７０の下方に設けた排水皿７４は、断熱箱体２０の後部側における断熱材１８の内部に配設した排水管７６に接続され、冷却器７０から滴下した水滴を外部に排出し得るようになっている。
【００１４】
(流通管について)
前記冷凍機構６２と冷却器７０とを連結して熱媒体(冷媒)を循環させる流通管(管部材)７８は、図２および図３に示すように、前記内箱体１４の右奥偶角部に沿って上下に延在し、しかも図５に示すように、前記右側の棚網５０に配設したガード部材５２より適宜後方側(奥側)に位置している。換言すると、前記棚網５０のガード部材５２が、前記流通管７８よりも前方位置で左右方向に配設されているので、棚網５０に載置された被冷蔵物品はガード部材５２で後方への移動が規制されるから、該被冷蔵物品と流通管７８との衝突が好適に防止される。なお、棚網５０における流通管７８に近接する角部をテーパ状に形成してあるため、該流通管７８との干渉が回避されると共に、該棚網５０の右側端部を側板３４に略当接させて配設することができ、棚網５０の載置面積を広く設定することが可能となる。
【００１５】
(配管カバー部材について)
また実施例の貯蔵庫１０では、図４および図５に示すように、前記流通管７８を覆蓋保護するための配管カバー部材８０が、該流通管７８を覆った状態に配設されている。この配管カバー部材８０は、例えば前記内箱体１４と同一材質あるいは合成樹脂等の材料を横断面略Ｌ字状に成形した、図５に示すように、前壁部８２と側壁部８４とを有する長尺部材であって、これら側壁部８４と前壁部８２における長手方向の各端部に、第１当接片８６および第２当接片８８が一体的に形成されている。すなわち配管カバー部材８０は、内箱体１４の右奥偶角部において、前記第１当接片８６が後板３６に当接すると共に第２当接片８８が側板３４に当接した状態で、前記流通管７８を覆蓋するようになっている。そして前記第１当接片８６には、長手方向に所要間隔毎に複数個のビス挿通孔９０が穿設されており(図６参照)、このビス挿通孔９０に挿通したビス(固定手段)９２を利用して前記内箱体１４に取付固定されるようになっている。なお前記ビス９２は、内箱体１４の後板３６と同一色にして目立ち難くすることが望ましい。そして、配管カバー部材８０の取付固定状態では、図５に示すように、前記前壁部８２およびビス９２が右側の棚網５０に配設したガード部材５２より適宜後方側(奥側)に位置しており、被冷蔵物品と配管カバー部材８０およびビス９２との衝突が好適に防止されるようになっている。
【００１６】
【実施例の作用】
次に、前述のように構成された本実施例の貯蔵庫の配管構造の作用につき説明する。貯蔵庫１０の製造に際して、本体の機械室２２に冷凍機構６２を構成する凝縮器６４や圧縮機６６および電装箱６８等を設置し、断熱箱体２０の内部上方に冷却器７０および室内ファン７２等を配設する。そして、前記凝縮器６４,圧縮機６６と冷却器７０との間に熱媒体を循環させる前記流通管７８を、断熱箱体２０の右奥偶角部に近接させた状態で配設する。更に断熱箱体２０の右奥偶角部に、前もって配設した前記流通管７８を覆蓋するように前記配管カバー部材８０を位置決めし、ビス９２を利用して内箱体１４に取付固定する。なお実施例の配管カバー部材８０では、内箱体１４への取付固定状態において端部が前方側へ指向していないので(図４および図５参照)、見栄えが悪くなることがなく質感低下を招来することがない。また前記ビス９２の締付け作業は、貯蔵庫１０の正面から自然な姿勢で行ない得るので、配管カバー部材８０の取付け作業を簡単かつ容易に行ない得る。
【００１７】
そして、前記内箱体１４および支柱４４における上下方向に離間する同一平面内に臨む複数の係止孔４０に、棚受金４２をそれぞれ係止固定する。そして、幅方向中央を挟んで左側に位置する複数の棚受金４２に棚網４８を載置すると共に、右側に位置する複数の棚受金４２に棚網５０を載置することで、図２および図３に示すように、貯蔵室１６に複数の棚網４８,５０が左右に離間して上下に多段的に配設され、各棚網４８,５０に被冷蔵物品が載置される。
【００１８】
前記複数の棚網４８,５０に載置された被冷蔵物品は、貯蔵室１６の奥側へ押込んだとしても、前記ガード部材５２との当接後はそれ以上の後方側への移動が規制され、被冷蔵物品と後板３６との間に後部冷気通路５４が画成される。そして前記室内ファン７２から貯蔵室１６に送られた冷気は、前記側部冷気通路３８,後部冷気通路５４,前部冷気通路５６および中央部冷気通路５８を介して貯蔵室１６全体に隈無く行渡り、各棚網４８,５０に載置した被冷蔵物品を効率的に冷却し得る。
【００１９】
また、前記棚網４８,５０に載置された被冷蔵物品は、前記ガード部材５２により後方側(奥側)への移動が規制されるから、該ガード部材５２より後方側に配設される前記配管カバー部材８０および流通管７８との衝突が好適に回避され、該被冷蔵物品が破損したり損傷する等の不都合が好適に防止される。更に、配管カバー部材８０を取付固定した前記各ビス９２は、前記ガード部材５２から離間した後方側に位置しているので(図５参照)、このビス９２と被冷蔵物品との衝突も好適に回避される。
【００２０】
図７は、配管カバー部材の変形例を示すものであって、この変形例に係る配管カバー部材９４では、図６に示した前記配管カバー部材８０の第２当接片８８を更に延長すると共に、この第２当接片８８の長手方向の端部に、内箱体１４の後板３６に当接する第３当接片９６を更に屈曲形成したものである。この配管カバー部材９４では、第１当接片８６および第３当接片９６が前記後板３６に当接して取付固定されるので、何らかの不手際で被冷蔵物品等が前壁部８２に強く衝突したとしても、これら第２当接片８８および第３当接片９６でその衝撃を受止め得る。
【００２１】
本発明に係る貯蔵庫の配管構造では、前記流通管７８および配管カバー部材８０(９４)を、棚網５０のガード部材５２より後方側に位置するように配設するので、例えば図８に例示するように、内箱体１４の右奥偶角部から左方向に適宜離間した位置の後板３６に、これら流通管７８および別形状の配管カバー部材９５を配設する変形例を採用可能である。この配管カバー部材９５は左右対称形状に形成され、両側にビス９２用のビス挿通孔を形成した当接片９７,９７を有している。また棚網５０においては、配管カバー部材９５に対応した位置に、該配管カバー部材９５との干渉を回避するための凹部９８が形成される。このように、流通管７８および配管カバー部材９５を、内箱体１４における後板３６の中央側に偏った位置に配設したとしても、棚網５０のガード部材５２により被冷蔵物品との衝突が回避され、該冷蔵物品の破損または損傷を好適に防止し得る。
【００２２】
なお前記実施例および変形例では、流通管７８および該流通管７８を覆蓋する配管カバー部材８０,９４,９５を、内箱体１４の右奥偶角部およびその近傍(棚網５０の後方)に配設した場合を例示したが、該内箱体１４の左奥偶角部およびその近傍(棚網４８の後方)に配設するようにしてもよい。このように流通管７８および配管カバー部材８０,９４,９５を配設しても、該配管カバー部材８０,９４,９５は棚網４８のガード部材５２よりも後方側に位置するようになり、被冷蔵物品との衝突が好適に回避される。
【００２３】
また前記実施例および変形例では、貯蔵室１６の内部上方と内部下方との間に延在する管部材として、冷却器７０と冷凍機構６２における凝縮器６４,圧縮機６６とを連結する流通管７８を対象とした配管構造につき例示したが、本発明はこれに限定されるものではなく、例えば電気的配線等を挿通保護した管部材や排水管等をも対象とし得る。更に管部材は、配管カバー部材で覆蓋されている必要はなく、該管部材が露出しているものであってもよい。
【００２４】
【発明の効果】
以上説明した如く、本発明に係る貯蔵庫の配管構造によれば、貯蔵室の内部上方と内部下方との間に延在する管部材を、棚網のガード部材よりも後方側で貯蔵室の壁面より内部に位置させて配設したことにより、該棚網に載置して貯蔵室に収納する貯蔵物品との衝突を回避して、前記管部材の損傷や該貯蔵物品の破損を好適に防止し得る利点がある。また、前記管部材を覆う配管カバー部材を取付固定する固定手段を、前記ガード部材より後方側に設けたことにより、該固定手段との衝突による貯蔵物品の破損も好適に防止し得る。更に棚部材は、管部材との干渉を回避するように形成してあるから、棚部材を貯蔵室の壁面に略当接させて配設することができ、棚部材の載置面積を広く設定することが可能となる。
【図面の簡単な説明】
【図１】 本発明の好適実施例に係る配管構造が実施される貯蔵庫を一部切欠いて示す正面図である。
【図２】 実施例に係る配管構造が実施された貯蔵庫の縦断側面図である。
【図３】 実施例に係る配管構造が実施された貯蔵庫の横断平面図である。
【図４】 実施例に係る配管構造を拡大して示す貯蔵庫の要部縦断正面図である。
【図５】 実施例に係る配管構造を拡大して示す貯蔵庫の要部横断平面図である。
【図６】 実施例の配管構造に実施される配管カバー部材の一部分を示す概略斜視図である。
【図７】 変形例に係る配管カバー部材の一部を示す概略斜視図である。
【図８】 変形例に係る配管構造を示す貯蔵庫の要部横断平面図である。
【図９】 従来の配管構造の一例を示す貯蔵庫の要部横断平面図である。
【符号の説明】
１６  貯蔵室
４８  棚網(棚部材)
５０  棚網(棚部材)
５２  ガード部材
６２  冷凍機構
７０  冷却器
７８  流通管(管部材)
８０,９４,９５  配管カバー部材
９２  ビス(固定手段)
【図１】
0003735463.tif 000002
【図２】
0003735463.tif 000003
【図３】
0003735463.tif 000004
【図４】
0003735463.tif 000005
【図５】
0003735463.tif 000006
【図６】
0003735463.tif 000007
【図７】
0003735463.tif 000008
【図８】
0003735463.tif 000009
【図９】
0003735463.tif 000010